(57)【要約】本発明はＣＶＤリアクタのためのサセプタ１に関し、広い方の面２上に配置され１又は複数の円形の部分表面３内にてそれぞれ基板ホルダ１３に熱を伝達するために各表面に延在する、渦巻形態で中心Ｚの周りに延在しかつ平面に向いて開いた凹部として形成され、かつ円形の部分表面３の中心Ｚに対して径方向内方のチャネル端部６の領域に各チャネル開口部７を具備するチャネル５を有する平坦な円形ディスク形状の本体１からなる。そのチャネル開口部は、ガス供給ライン８の端部に配置された供給口９と流体的に接続されている。さらに、部分表面３が、局所的熱伝導に影響しかつ平面に開いた凹部１０として又はその凹部１０に挿入される挿入片１１として形成された１又は複数の影響要素を具備する。
2020515069.tif 000002
【特許請求の範囲】
【請求項１】
ＣＶＤリアクタのためのサセプタであって、広い方の面（２）上に配置され基板ホルダ（１３）が載置される少なくとも１つの円形の部分表面（３）を具備する平坦な本体（１）を有し、前記部分表面（３）は、前記基板ホルダ（１３）の方に開いた複数のチャネル（５）を有し、前記チャネルがガス供給ライン（８）の端部に配置された供給口（９）と流体的に接続されることによって、各前記チャネル（５）へのガス流の供給によって前記基板ホルダ（１３）がエアリング位置に持ち上げられかつ回転駆動される、前記サセプタにおいて、
局所的熱伝導に影響する１又は複数の影響要素が前記部分表面（３）に配置され、前記影響要素は、凸部として、前記平面に開いた凹部（１０）として、又は、前記凹部（１０）に挿入された挿入片（１１）として形成されており、前記開いた凹部（１０）は、前記チャネル（５）内にガス流を供給するときに前記凹部（１０）内にガス流を形成しないように構成されていることを特徴とするサセプタ。
【請求項２】
影響要素（１０、１１）及びチャネル（５）が、方位角方向に互いに隣り合って配置されていることを特徴とする請求項１に記載のサセプタ。
【請求項３】
前記凸部又は前記凹部（１０）、特にその中に挿入片（１１）が挿入された前記凹部（１０）が、空間的に前記チャネル（５）から離れているか、又は、空間的に前記チャネル（５）と接続されていることを特徴とする請求項１又は２に記載のサセプタ。
【請求項４】
曲線上に配置された前記影響要素（１０、１１）が、少なくとも４０°、好ましくは６０°、及び特に８０°の、中心（Ｚ）の周りの円弧の中心角に亘って延在することを特徴とする請求項１〜３のいずれかに記載のサセプタ。
【請求項５】
前記チャネル（５）及び前記影響要素１０、１１）の、前記中心（Ｚ）の周りの多重対称性の配置を特徴とする請求項１〜４のいずれかに記載のサセプタ。
【請求項６】
前記供給口（９）が、円形の前記部分表面（３）の中心に関して、中心にあるガス分散凹部（１２）に開口し、前記ガス分散凹部（１２）は、径方向に延在するチャネル開口部（７）により特に渦巻状曲線上に延在するチャネル（５）と接続されていることを特徴とする請求項１〜５のいずれかに記載のサセプタ。
【請求項７】
凸部又は凹部（１０）として形成された前記影響要素が、連続的な壁により囲まれた閉じた基面を有し、前記壁は前記凸部又は凹部（１０）の基面から前記平面の縁まで延在していることを特徴とする請求項１〜６のいずれかに記載のサセプタ。
【請求項８】
前記挿入片（１１）が、前記サセプタ（１）とは異なる熱伝導率を有する材料から形成されていることを特徴とする請求項１〜７のいずれかに記載のサセプタ。
【請求項９】
特に円形である複数の凹部（１０）、特にその中に挿入された挿入片（１１）を具備する凹部（１０）が、方位角方向に互いに前後して配置されていることを特徴とする請求項１〜８のいずれかに記載のサセプタ。
【請求項１０】
前記凹部（１０）が、平面視にて多角形であることを特徴とする請求項１〜９のいずれかに記載のサセプタ。
【請求項１１】
前記凹部（１０）の深さが、前記部分表面（３）の中心から前記部分表面（３）の縁に向かって減小していることを特徴とする請求項１〜１０のいずれかに記載のサセプタ。
【請求項１２】
チャネル（５）が少なくとも２つ延在する前記中心（Ｚ）の周りの第１の扇形部（Ａ）、及び、チャネル（５）が１つのみ延在する前記中心（Ｚ）の周りの第２の扇形部（Ｂ）を有し、
全ての前記第１の扇形部（Ａ）の角度の和＞１８０°であり、かつ／又は、全ての前記第２の扇形部（Ｂ）の角度の和＞９０°であり、かつ／又は、全ての前記第１の扇形部（Ａ）の角度の和が全ての前記第２の扇形部（Ｂ）の角度の和より大きく、
特に少なくとも１つの、好ましくは各々の前記第１の扇形部（Ａ）において、少なくとも２つの前記チャネル（５）同士の間又は径方向外側の前記チャネル（５）の径方向外側にて少なくとも部分的に影響要素（１０、１１）が延在し、かつ／又は、
少なくとも１つの、好ましくは各々の前記第２の扇形部（Ｂ）において、特に前記チャネル（５）の径方向内側にて少なくとも部分的に、好ましくは前記第２の扇形部（Ｂ）全体に亘って影響要素（１０、１１）が延在し、かつ／又は、
少なくとも２つの前記チャネル（５）が延在する、前記中心（Ｚ）の周りの全ての前記第１の扇形部（Ａ）の角度の和が１８０°より大きく、かつ／又は、
少なくとも１つの、好ましくは各々の前記第１の扇形部（Ａ）において、少なくとも２つの前記チャネル（５）同士の間又は径方向外側の前記チャネル（５）の径方向外側にて少なくとも部分的に影響要素（１０、１１）が延在することを特徴とする請求項１〜１１のいずれかに記載のサセプタ。
【請求項１３】
前記部分表面（３）が、基板ホルダ（１３）が載置されるポケット（１６）の基面を形成する、ＣＶＤリアクタにおける請求項１〜１２のいずれかに記載のサセプタの使用。
【請求項１４】
前記部分表面（３）が、円形ディスク形状の基板ホルダ（１３）が載置されるポケット（１６）の基面を形成し、前記基板ホルダ（１３）を、前記供給口（９）を通るパージガスの供給によりガスクッション上に置いて前記中心（Ｚ）の周りで回動運動させることができる、請求項１〜１２のいずれかに記載の基板ホルダ（１３）を具備する基板ホルダ機構。
【請求項１５】
請求項１〜１４のいずれかの特徴的構成の１又は複数を特徴とするサセプタ又は使用又は基板ホルダ機構。
【発明の詳細な説明】
【技術分野】
【０００１】
本発明は、ＣＶＤリアクタのためのサセプタに関し、広い方の面上に配置され基板ホルダが載置される少なくとも１つの円形の部分表面を具備する平坦な本体を有し、その部分表面は、基板ホルダの方に開いたチャネルを有し、そのチャネルはガス供給ラインの端部に配置された供給口と流体的に接続されている。
【０００２】
本発明はさらに、サセプタの使用、及び、基板ホルダとサセプタとから構成されたサセプタ機構に関する。
【背景技術】
【０００３】
ＣＶＤリアクタは、特許文献１から公知であり、ヒーターにより下方から加熱可能なサセプタがリアクタハウジング内に配置されている。サセプタは、複数の円形の部分表面を有し、それらの上に円形の基板ホルダが配置される。部分表面の中心にはガス供給ラインが開口している。３つの供給口がそこに形成され、それらは中心の周りに渦巻状に延在するチャネルと径方向内側端でそれぞれ接続されている。それらのチャネルは、部分表面内に延在する平面に開いているが、その上を基板ホルダにより覆われる。パージガスが、供給口を通って基板ホルダの下面と部分表面の平面との間の間隙に導入されることによって、基板ホルダがエアリング位置に持ち上げられ、そこでガスクッション上に置かれることになる。平面内でのチャネルの渦巻状配置の結果として、基板ホルダと部分表面の支持面との間のガス間隙において指向性のガス流が形成されることによって、１又は複数の基板を搭載する基板ホルダが回転させられる。ガス供給は、ここでは円形のサセプタの中心で行われる。
【０００４】
ＣＶＤリアクタを追求したガス供給の別のコンセプトのサセプタが、特許文献２に記載されている。そこでは、プロセスガスが、サセプタの表面全体に亘って延在するシャワーヘッドのようなガス出口表面からプロセスチャンバに導入される。ここでも、サセプタには熱エネルギーが下方から供給される。しかしながらここでは基板が、回転可能な基板ホルダ上ではなくポケット内にあり、そのポケットは直接サセプタに組み込まれた凹部によって形成されている。サセプタから基板への熱の流れに影響を与えるために、ポケットの基面が深さ方向に形状付けされている。その場合、基板の縁は、支持リブ又はそれ以外の支持突起上で載置される。
【０００５】
特許文献３は、コーティングの作製時に用いられるサセプタ内の挿入片を開示している。
【０００６】
汎用的装置においては、サセプタから基板ホルダに熱が永続的に伝達され、そこから熱が、基板ホルダに対して反対側に位置する冷却されたプロセスチャンバに伝達される。熱の流れは、基板ホルダ上に載置された基板の光学特性により影響される。基板が赤外線を透過する場合、基板ホルダの中心領域の温度が低下する可能性がある。一方、基板が例えばシリコン基板で反射性の場合、基板の下側の中心部の温度が基板ホルダの縁近傍よりも高くなる。その場合、縁部に対して中心部を冷却しなければならない。それに替えて、中心部に対して縁部を加熱することもできる。
【先行技術文献】
【特許文献】
【０００７】
【特許文献１】欧州特許第0 242 898号明細書
【特許文献２】独国特許出願公開第10 2014 100 024号明細書
【特許文献３】独国特許出願公開第10 2014 103 505号明細書
【発明の概要】
【発明が解決しようとする課題】
【０００８】
本発明の目的は、サセプタ上面と基板ホルダ下面との間の間隙にパージガスが供給されるとき、基板ホルダの局所的な温度不均一及び、特に基板ホルダ中心部の温度と基板ホルダ縁部の温度との差を簡易な手段で補償するための汎用的なサセプタを提供することである。
【課題を解決するための手段】
【０００９】
上記の目的は、請求の範囲で特定された発明により解決される。最初にかつ本質的に、基板ホルダの載置のために設けられる部分表面において、特にガス回転ベアリングの生成のために中心の周りに渦巻状に配置されるチャネルだけでなく、熱伝導の影響要素も設けられる。それらの影響要素は、基板から基板ホルダへの熱の流れに局所的に影響を与えることができるように配置されている。影響要素は、凸部、凹部、又は、凹部内に挿入された挿入片のいずれかとして形成される。
第１の変形形態では、開いた凹部として影響要素が構成され、凹部基面を形成されており、その凹部基面は、好ましくは部分表面の延在面に平行に延在するか又は適宜形状付けされている。
影響要素が凸部である場合、それらは部分表面から起立し、その場合、凸部の基面は、特に平坦な部分表面の上方に位置する。その基面は、平面から所定の距離だけ離間しており、かつ連続的な周囲の壁により囲まれることができる。その壁は、凸部又は凹部の基面と凹部の縁を形成する平面との間の距離（空間距離）である高さを全体的に有している。基面と同様に、壁もまた全体的に閉じていることが好ましく、かつ開口部がないことが好ましく、それによって、ガスが壁又は基面を通って凹部に入り込むことができず、ガスが壁又は基面を通って凹部から逃げることもできない。しかしながら、凹部を流体力学的にチャネルと接続することもできるが、その場合、その流体力学的な接続は、凹部内に検知可能な程度のガス流を形成しないように行われる。
しかしながら、チャネル内にはガス流を生じるべきであり、その目的は基板ホルダの回転駆動である。このためにチャネルは、方位角方向の速度成分をもつガス流を生成する。中心において供給されるガス流に回転駆動する速度成分を付与するために、チャネルは渦巻状曲線上に延在する。しかしながら、チャネルは、開口のみから形成されることができ、そこから指向性のガス流が出て来る。動作中、基板ホルダは、チャネルに供給されるガス流によりエアリング位置に持ち上げられる。その場合、平面と基板ホルダの下面との間の間隙が、チャネルからのガスの流出に関係して所定のシールを生じさせ、そのために特に、基板ホルダの下面がその全面に亘って実質的に平坦に延在するように設けられる。しかしながら、その下面は、曲面であってもよく又は異なる構造を有してもよい。したがって、流れは、実質的にチャネル内で形成される。チャネルの方向によって、ガス流が方位角成分を有するようになる。これは、好ましくはチャネルがアルキメデスの渦巻線上に延在することにより実現される。
本発明の変形形態では、凹部に挿入される挿入片が設けられる。この挿入片は、好ましくはグラファイトからなるサセプタとは異なる熱伝導率を有する材料から形成されることが好ましい。
好ましくは複数配置され、好ましくは中心の周りに３回対称で配置されたチャネルの各々が曲線上に延在する。その場合、中心を通る半径直線が複数のチャネルと交差できることによって半径が第１のチャネルの径方向内側部分と第２のチャネルの径方向外側部分とを通るように、チャネルがその長さ有しかつ曲線がその形状を有することができる。
好ましくは、部分表面が、少なくとも２つのチャネルが延在する第１の扇形部を形成する。この第１の扇形部に対して、各々１つのチャネルのみが延在する第２の扇形部が隣り合うことができる。本発明の好ましい実施形態では、影響要素が、第１の扇形部において好ましくは全体的に又は少なくとも部分的に延在する。しかしながら、影響要素は、第２の扇形部に全体的又は部分的に延在することもできる。第１の扇形部が延在する範囲の角度の和は、好ましくは１８０°より大きい。第２の扇形部が延在する範囲の角度の和は、好ましくは９０°より大きい。第１の扇形部の角度の和は、第２の扇形部の角度の和よりも大きいことが好ましい。影響要素の両端が、互いに異なる第１の扇形部に位置することによって、影響要素が２つの扇形部に跨がって延在することができる。
本発明の更なる形態では、影響要素が、第１の扇形部内及び／又は第２の扇形部内で２つのチャネルの間、又は、２つのチャネルの径方向外側に延在するように設けられる。影響要素は、曲線上に延在することができ、その曲線は、チャネルが沿って延在する曲線と類似している。したがって、影響要素は、渦巻状に延在する曲線上に延在することができるが、自由な形状の曲線上に延在することもできる。影響要素は、チャネルの径方向外側端を延長した渦巻状曲線上に連係することができ、それにより特にチャネルが延在する曲線の延長上に延在することができる。しかしながら、凹部はまた、渦巻状曲線上で始まるチャネルの径方向外側端から径方向内側にずれて延在するようにも設けられる。
部分表面に追加的に導入される影響要素は、部分表面により基面が形成されるサセプタのポケットに配置される基板ホルダへの熱の流れに対して局所的な影響を及ぼす効果を有する。これは、影響要素が凹部として形成される場合における熱の流れの減小により、又は、影響要素がサセプタよりも大きい熱伝導率を有する挿入片である場合における熱の流れの増加により行われる。熱の流れの局所的増加は、影響要素が凸部として形成されることによっても実現される。それらは、基板ホルダの下面と部分表面との間の間隙に突き出ている。それによって、基板ホルダの下面と部分表面との間のガス回転ベアリングを形成する間隙が局所的に小さくなる。凸部は、特に、凹部に挿入される挿入片により形成することができる。それらは、特に、基板ホルダにより覆われる部分表面内における島状の突起である。
方位角方向の速度成分を有して基板ホルダを回転駆動するガス流を形成するように、チャネルが、凹部を除いて水平な又は平坦な部分表面内に延在する。好ましくは、チャネルが、個々の部分表面の中心の周りに渦巻状に延在する。
本発明の変形形態では、複数の凹部が異なる高さを有するように設けられる。特に、中心領域における凹部の深さが、縁領域におけるそれよりも大きいことによって、中心領域においてより大きな熱伝導抵抗が実現され、かつ、縁領域においてより小さい熱伝導抵抗が実現される。
部分表面上で基板ホルダが回転するので、異なる熱伝導特性をもつ領域を、方位角方向に互いに隣り合って配置することができる。影響要素は、特に、隣り合うチャネル同士の間の中間領域に配置することができる。影響要素は、１又は複数の島状の凹部により形成することもでき、その場合、好ましくは複数の島状の凹部が、鎖状に互いに前後して配置され、複数のそのような凹部が細長い面上に延在する。その場合、それは円弧状の面を有することもできる。それらの凹部は、好ましくは円形穴から形成されることによって、エンドミル又はドリルを用いて簡易な方法で作製することができる。加えて、それらの凹部は、並列又は直列にずらして配置することもできる。影響要素は、平面視にて多角形、特に三角形とすることもできる。部分表面内の影響要素の配置は、多重対称性に対応して行うことができる。しかしながら、非対称の変形形態もあり、その場合、影響要素は対称性なしで配置される。
挿入片は、その自由な端面が、その挿入片を囲む面と面一に位置するように構成することができる。しかしながら、挿入片は、凹部の深さより小さい高さ又は大きい高さを有することもでき、それによってその端面が、凹部の基面を形成するか又は凸部の基面を形成することができる。周囲のサセプタよりも大きい熱伝導率を有する挿入片を用いることができ、又は、サセプタよりも小さい熱伝導率を有する挿入片であっても用いることができる。
【００１０】
局所的熱伝導に影響を及ぼす１又は複数の影響要素が凹部である場合、装置の適切な動作中に各チャネルにガス流を供給することにより基板ホルダをエアリング位置に持ち上げて回転駆動するとき、これらの凹部には能動的な流れが形成されない点で構造的にチャネルとは異なる。それらの開いた凹部には、たかだか、誘導された流れ又は圧力均一化を生じさせる流れが形成されるけれども、チャネルに供給されるガス流なしでは基板ホルダを持ち上げたり回転させたりするのに決して十分でないように形成されかつ配置されている。したがって、特に、凹部を通過する流れは全くない。たかだか、圧力均一化の流れが凹部に流入又は流出できるだけである。
【図面の簡単な説明】
【００１１】
【図１】図１は、ＣＶＤリアクタで用いられるサセプタの斜視図であり、各々が基板ホルダを受容するためのポケットの基面を形成する５つの円形の部分表面３を具備し、図では図示を簡略化するために、円形の部分表面の各々が、異なる形状の影響要素を有しているが、１つのサセプタに設けられる円形の部分表面３は互いに同じ構成であることが好ましい。
【図２】図２は、サセプタ１の平面図である。
【図３】図３は、図２のIIIの部分の図である。
【図４】図４は、図３のIV−IVラインの断面図である。
【図５】図５は、図２のＶの部分の図である。
【図６】図６は、図２のVIの部分の図である。
【図７】図７は、凹部１０に挿入片１１を挿入した図４による図である。
【図８】図８は、例示的実施形態におけるサセプタを具備するＣＶＤリアクタの概略的な縦断面図である。
【図９】図９は、凹部１０がガス分散凹部１２と流体的に接続されている更なる例示的実施形態における図５による図である。
【図１０】図１０は、凹部１０がチャネル５と流体的に接続されている更なる例示的実施形態である。
【図１１】図１１は、凹部が三角形の形状を有する更なる例示的実施形態である。
【図１２】図１２は、凹部１０が円柱穴として互いに直列に並んで配置されている更なる例示的実施形態である。
【発明を実施するための形態】
【００１２】
以下、実施形態を参照して本発明をさらに詳細に説明する。
図８は、ＣＶＤリアクタの主要構造を概略的に示している。プロセスチャンバが、外部に対して気密である閉じたリアクタハウジングに配置され、ガス入口部材１４を通してプロセスガスを供給される。下方から加熱されるサセプタ１は、複数の部分表面３を有し、各部分表面３はポケット１６の基面を形成しており、その中に基板ホルダ１３が配置される。基板ホルダ１３の上面はプロセスチャンバに向き、そして１又は複数の基板を担持する。基板ホルダの下面と部分表面３との間の間隙にパージガスを供給することにより、ガスクッションが生成され、その上で基板ホルダ１３が浮く。部分表面３の中心Ｚの周りに渦巻状に配置されたチャネル５により供給されたガスの流れが回転移動させられ、それが基板ホルダ１３を回転駆動する。
【００１３】
中心Ｚの領域に位置する供給口９を通してパージガスを供給する結果、通常は僅かであるが、プロセスチャンバ側に向いた基板ホルダの上面における温度プロフィールの均一性に影響を及ぼす可能性がある。しかしながら、温度プロフィールは、チャネル５によって実質的な影響を受ける。なぜなら間隙が熱絶縁体として大きく作用するからである。基板は、プロセスチャンバ側を向いた基板ホルダの上面における温度プロフィールの実質的な影響を受ける。基板が反射性を有することによって中心領域において温度上昇を生じる可能性があり、それにより中心を縁に対して冷却しなければならない。しかしながら、それに替えて縁を中心に対して加熱することもできる。熱輻射に対して透明な基板が用いられる場合、逆の問題が生じる。この場合、縁の側で温度上昇する可能性がある。この温度不均一性は、本発明による適切な手段によって補償されるべきである。
【００１４】
例示的実施形態は、ここでは、凹部１０又は凹部１０に挿入された挿入片１１として形成された、熱の流れの影響要素を示している。熱の影響要素が、凹部に挿入された挿入片として形成される場合、その挿入片が、凹部を形成する材料すなわち基板ホルダ１３の材料の熱伝導率よりも大きい熱伝導率をもつ材料から作製されることが好ましく、それによって熱の影響要素が、基板ホルダの上面の局所的な温度上昇を生じさせる。それに対して、熱の影響要素が凹部として形成される場合、凹部に存在するガスの絶縁効果により、基板ホルダの上面の温度降下をもたらす。
【００１５】
図４に示した断面は、凹部１０の形態の影響要素を示し、その凹部１０は１つの基面１０’と複数の壁１０”とを有する。各壁１０”は、基面１０’を下側の境界とし凹部１０の縁を上側の境界とする連続的な面から形成されている。凹部１０の基面１０’は、同様に、基面の縁を境界とする連続的な面から形成されている。したがって、壁１０”及び基面１０’から凹部１０内にガス等が流入しない。同様に、壁１０”又は基面１０’を通って凹部１０からガスが流出しない。
【００１６】
図７は、影響要素の代替的な構成を示している。ここでは、固体の物理的な挿入片１１として形成されており、実質的に形状充填される嵌め込み部材のように凹部１０内に挿入されている。それは、周囲のサセプタ１の材料とは異なる熱伝導率を有している。
【００１７】
図２、３、５及び６に示した凹部１０も、代替的な実施形態における挿入片１１をそれぞれ有することができる。しかしながら、以下では、それらを、熱フローに影響を及ぼすために配置された凹部１０として記述する。
【００１８】
図２に示したサセプタ１はグラファイトからなり、かつ円形ディスク形状を有する。しかしながら、サセプタ１は、別の形態を有することもでき、例えば、多角形で形成することができる。したがって、サセプタ１の実施形態は、長方形又は三角形の形状でも設けられる。その場合、多角形のサセプタの辺又は頂点の数は、既に基板ホルダを受容している部分表面３の数と同じとすることができる。対称性の数と部分表面３の数とが対応する対称的な多角形が好ましい。径方向外側の環状領域上に対称的配置により、例示的実施形態では５つである複数の、それぞれ境界線４で区切られた部分表面３があり、その各々がポケット１６の基面（図８参照）を形成することができる。部分表面３の中心Ｚには供給口９があり、供給口９は、サセプタ２の内部の孔として形成されたガス供給ライン８を設けられている。供給口９は、円形のガス分散凹部１２に開口しており、ガス分散凹部１２は、中心Ｚの周りで円対称の凹部として形成されている
【００１９】
ガス分散凹部１２は、チャネル５の数に対応するチャネル開口部７を有し、ガス分散凹部１２はチャネル開口部７により各チャネル５と流体的に接続されている。例示的実施形態では、３つのチャネル５が設けられている。チャネル開口部７は、図では狭窄部として示されている。しかしながら、チャネル開口部７がチャネル５の幅よりも小さい開口幅を有することは必須ではない（図１１参照）。
【００２０】
チャネル５は、チャネル開口部７によりガス分散凹部１２と流体的に接続される径方向内側端６を有する。それらのチャネル５は、径方向外側端６’まで中心Ｚの周りの渦巻状曲線上に延在する。その場合、それらのチャネル５は、中心Ｚの周りの円弧の中心角が１８０°より大きい範囲に亘って延在する。互いに隣り合って延在する各チャネル５同士の間に、ここでは凹部１０として示された影響要素が延在している。凹部１０は、中心Ｚの周りの円弧の中心角が少なくとも３０°、好適には少なくとも６０°、好適には少なくとも９０°の範囲に延在する。例示的実施形態では、チャネル５の幅が、凹部１０の幅よりも僅かに大きい。凹部１０の径方向内側端１７は、チャネルの径方向内側端が位置する径方向距離とほぼ同じ距離に位置する。凹部１０は、その径方向外側に位置する端部１７’の領域において、２つの隣り合うチャネル５の間のほぼ中央に延在している。
【００２１】
凹部１０は、図３〜図７の例示的実施形態では、細長い溝の形状を有する。しかしながら、互いに分離している複数の個々の凹部が、細長いベース面上に互いに前後して配置されることも含まれる。これらの個々の凹部は、例えば穿孔として形成され、平面視にて円形である。このようなガスポケットは、連続的な溝を形成する必要なく拡散バリアを形成することができる。
【００２２】
部分表面３は、別々の扇形部に分離することができる。約９０°の角度範囲に延在する第１の扇形部Ａは、その扇形領域全体に２つのチャネル５を有する。２つの第１の扇形部Ａ同士の間には、ただ１つのチャネル５が延在する第２の扇形部Ｂが延在している。例示的実施形態では、凹部１０が、部分的に第１の扇形部Ａの領域に、そして部分的に第２の扇形部Ｂに位置する。
【００２３】
凹部１０の径方向内側端１７が第１の扇形部Ａに、そしてその凹部１０の径方向外側端１７’が別の第１の扇形部Ａにあり、その凹部１０が第２の扇形部Ｂを通って延在することが有利である。
【００２４】
図３に示した例示的実施形態では、凹部１０の径方向外側端１７’が、チャネル５の径方向外側端６’よりも径方向内側に位置する。
【００２５】
チャネル５及び凹部１０は、ここでは、中心Ｚの周りで３回対称を形成している。
【００２６】
図５に示した例示的実施形態では、凹部１０がチャネル５と連係している。それらは、チャネル５が延在する渦巻状曲線の延長上に位置する。それらは、ここでは、チャネル５の径方向外側端６’で連係している。ここでも、３回対称となっている。凹部１０は、ここでは、渦巻状曲線上又は円弧曲線上のいずれかに延在する。
【００２７】
図６に示した例示的実施形態では、同様に、凹部１０がチャネル５の径方向外側端６’と連係しているが、径方向内側にずれている。凹部１０は、ここで、渦巻状曲線上又は円弧曲線上に延在することができる。
【００２８】
図９に示した例示的実施形態では、凹部１０がガス分散凹部１２と流体的に接続されている。凹部１０は、平面視で実質的に三角形の形状を有するが、主要部ではないガス流のみがそれらを通るように配置されている。上述した例示的実施形態のように、凹部１０に挿入片を挿入することもできる。この例示的実施形態では、凹部１０が、基板ホルダの回転駆動のためのガスと流体的に接続される。ここでも、凹部１０の配置が、チャネル５の配置と同じ対称性を有する。
【００２９】
図１０に示した例示的実施形態では、縁領域における細長い凹部１０がチャネル５と流体的に接続されている。ここでもまた凹部１０に挿入片を挿入することができる。その場合、凹部内に挿入された挿入片がチャネル５の壁を形成するように、凹部を形成することもできる。
【００３０】
図１１に示した例示的実施形態では、複数の凹部１０の各々が三角形の形状で構成されている。図１０及び図１１に示した実施形態でも、凹部１０に挿入片を挿入することができる。ガス分散凹部１２は、ここでは、狭窄部なしでチャネル５へと移行している。
【００３１】
図１２に示した例示的実施形態でも、凹部１０に挿入片を挿入することができる。ここでは、平面視にて円形である複数の凹部１０が互いに前後して直列に配置されている。そこでは、止まり穴により形成された複数の凹部１０が、方位角方向に延在する曲線又は直線に沿って延在する。
【００３２】
全ての実施形態において、凹部１０が、チャネル５のチャネル渦巻状曲線に対して反対方向に延在する渦巻上に延在することもできる。その凹部は、長さが幅の数倍の大きさの細長いスロットとすることができる。しかしながら、凹部は、自由な輪郭を有することもできる。
【００３３】
上述した凹部に言及する場合、その記述は次のような例示的実施形態も含む。凹部１０に挿入片が挿入されるのみでなく、符号１０が、部分表面３内に底面がありかつ部分表面３の平坦な面の上方に延在する基面を有する凸部を示すような例示的実施形態も含まれる。個々の影響要素を省くことにより、影響要素の配置を非対称配置とすることもできる。
【００３４】
上述した実施形態は、全体として本発明を説明するために用いられ、本発明は、以下の特徴の組合せにより各々独立しても従来技術を少なくともさらに進展させ、その場合、それらの特徴の組合せのうち２つ、複数又は全ての組合せを組み合わせることもできる。すなわち：
【００３５】
局所的熱伝導に影響する１又は複数の影響要素が部分表面３に配置され、前記影響要素が、凸部として、前記平面に開いた凹部１０として、又は、前記凹部１０に挿入された挿入片１１として形成されていることを特徴とするサセプタ。
【００３６】
影響要素１０、１１及びチャネル５が方位角方向に互いに隣り合って配置されていることを特徴とするサセプタ。
【００３７】
前記凸部又は前記凹部１０が、特にその中に挿入片１１を挿入された前記凹部１０が、前記チャネル５から空間的に離間しているか又は前記チャネル５と空間的に接続されていることを特徴とするサセプタ。
【００３８】
曲線上に配置された前記影響要素１０、１１が、少なくとも４０°、好ましくは６０°、及び特に８０°の、中心Ｚの周りの円弧の中心角に亘って延在することを特徴とするサセプタ。
【００３９】
前記チャネル５及び前記影響要素１０、１１の、前記中心Ｚの周りの多重対称性の配置を特徴とするサセプタ。
【００４０】
前記供給口９が、円形の前記部分表面３の中心に関して、中心にあるガス分散凹部１２に開口し、前記ガス分散凹部１２は、径方向に延在するチャネル開口部７により特に渦巻状曲線上に延在するチャネル５と接続されていることを特徴とするサセプタ。
【００４１】
凸部又は凹部１０として形成された前記影響要素が、連続的な壁により囲まれた閉じた基面を有し、前記壁は前記凸部又は凹部１０の基面から前記平面の縁まで延在していることを特徴とするサセプタ。
【００４２】
前記挿入片１１が、前記サセプタ１とは異なる熱伝導率を有する材料から形成されていることを特徴とするサセプタ。
【００４３】
特に円形である複数の凹部１０、特にその中に挿入された挿入片１１を具備する凹部が、方位角方向に互いに前後して配置されていることを特徴とするサセプタ。
【００４４】
前記凹部１０が、平面視にて多角形であることを特徴とするサセプタ。
【００４５】
前記凹部１０の深さが、前記部分表面３の中心から前記部分表面３の縁に向かって減小していることを特徴とするサセプタ。
【００４６】
少なくとも２つのチャネル５が延在する、前記中心Ｚの周りの第１の扇形部Ａと、１つのチャネル５が延在する、前記中心Ｚの周りの第２の扇形部Ｂを有し、
全ての前記第１の扇形部Ａの角度の和＞１８０°であり、かつ／又は、全ての前記第２の扇形部Ｂの角度の和＞９０°であり、かつ／又は、前記第１の扇形部Ａの角度の和が、全ての前記第２の扇形部Ｂの角度の和より大きく、
特に少なくとも１つの、好ましくは各々の前記第１の扇形部Ａにおいて、少なくとも２つの前記チャネル５同士の間又は径方向外側の前記チャネル５の径方向外側にて少なくとも部分的に影響要素１０、１１が延在し、かつ／又は、
少なくとも１つの、好ましくは各々の前記第２の扇形部Ｂにおいて、特に前記チャネルの径方向内側にて少なくとも部分的に、好ましくは前記第２の扇形部Ｂ全体に亘って影響要素１０、１１が延在し、かつ／又は、
少なくとも２つの前記チャネル５が延在する、前記中心Ｚの周りの全ての前記第１の扇形部Ａの角度の和が１８０°より大きく、かつ／又は、
少なくとも１つの、好ましくは各々の前記第１の扇形部Ａにおいて、少なくとも２つの前記チャネル５同士の間又は径方向外側の前記チャネル５の径方向外側にて少なくとも部分的に影響要素１０、１１が延在する、サセプタ。
【００４７】
前記部分表面３が、基板ホルダ１３が載置されるポケット１６の基面を形成する、ＣＶＤリアクタにおけるサセプタを特徴とする使用。
【００４８】
前記部分表面３が、円形ディスク形状の基板ホルダ１３が載置されるポケット１６の基面を形成し、前記基板ホルダ１３を、供給口９を通るパージガスの供給によりガスクッション上に置いて前記中心Ｚの周りで回転運動させることができることを特徴とする基板ホルダ機構。
【００４９】
開示されたすべての特徴は、（個々に、しかしながら互いに組み合わせても）本発明に本質的である。関連する／添付の優先書類の開示内容（先願の複写）も、本願の請求項にこれらの書類の特徴を含める目的で、本願の開示に完全に組み込まれる。従属項は、特にこれらの請求項の分割出願を行うために、特許請求の範囲の特徴がなくても、従来技術からの発明の進展とは独立したそれらの構成を特徴とする。各請求項で特定される発明は、特に参照符号および／または参照番号で与えられる、上述の説明で説明された特徴のうちの１つ以上をさらに有し得る。また、本発明は、特に、それぞれの目的に認識可能であるか、技術的に同等の他の手段で置き換えることができる限り、上記の説明で言及した特徴の個々が実現されない設計形態にも関係する。
【符号の説明】
【００５０】
１  サセプタ
２  広い方の面
３  部分表面
４  境界線
５  チャネル
６  径方向内側端
６’  径方向外側端
７  チャネル開口部
８  ガス供給ライン
９  供給口
１０  凹部
１０’  基面
１０”  壁
１１  挿入片
１２  ガス分散凹部
１３  基板ホルダ
１４  ガス入口部材
１５  カバープレート
１６  ポケット
１７  径方向内側端
１７’  径方向外側端
Ａ  扇形部
Ｂ  扇形部
Ｚ  中心
【図１】
2020515069.tif 000003
【図２】
2020515069.tif 000004
【図３】
2020515069.tif 000005
【図４】
2020515069.tif 000006
【図５】
2020515069.tif 000007
【図６】
2020515069.tif 000008
【図７】
2020515069.tif 000009
【図８】
2020515069.tif 000010
【図９】
2020515069.tif 000011
【図１０】
2020515069.tif 000012
【図１１】
2020515069.tif 000013
【図１２】
2020515069.tif 000014
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
ＣＶＤリアクタのためのサセプタであって、広い方の面（２）上で平面内に配置され基板ホルダ（１３）が載置される少なくとも１つの円形の部分表面（３）を具備する平坦な本体（１）を有し、前記部分表面（３）は、前記基板ホルダ（１３）の方に開いた複数のチャネル（５）を有し、前記チャネルがガス供給ライン（８）の端部に配置された供給口（９）と流体的に接続されることによって、各前記チャネル（５）による記基板ホルダ（１３）の下面と前記部分表面（３）の前記平面との間の間隙へのガス流の供給によって前記基板ホルダ（１３）がエアリング位置に持ち上げられかつ前記ガス流の方位角方向の速度成分により回転駆動される、前記サセプタにおいて、
局所的熱伝導に影響する１又は複数の影響要素が前記部分表面（３）に配置され、前記影響要素は、曲線上に配置されており、中心（Ｚ）の周りの円弧の円周角の少なくとも４０°に亘って延在する凸部により形成されており、又は、
局所的熱伝導に影響する１又は複数の影響要素が前記部分表面（３）に配置され、前記影響要素は、凹部（１０）に挿入された挿入片（１１）として形成され、前記挿入片（１１）は前記サセプタ（１）とは異なる熱伝導率を有する材料から形成されており、又は、
局所的熱伝導に影響する１又は複数の、平面に開いた凹部（１０）が前記部分表面（３）に配置され、前記凹部（１０）は、前記チャネル（５）内にガス流を供給するときに前記凹部（１０）内にガス流を形成しないように構成されていることを特徴とするサセプタ。
【請求項２】
影響要素（１０、１１）及びチャネル（５）が、方位角方向に互いに隣り合って配置されていることを特徴とする請求項１に記載のサセプタ。
【請求項３】
前記凸部又は前記凹部（１０）、特にその中に挿入片（１１）が挿入された前記凹部（１０）が、空間的に前記チャネル（５）から離れているか、又は、空間的に前記チャネル（５）と接続されていることを特徴とする請求項１又は２に記載のサセプタ。
【請求項４】
曲線上に配置された前記影響要素（１０、１１）が、少なくとも４０°、好ましくは６０°、及び特に８０°の、中心（Ｚ）の周りの円弧の中心角に亘って延在することを特徴とする請求項１〜３のいずれかに記載のサセプタ。
【請求項５】
前記チャネル（５）及び前記影響要素１０、１１）の、前記中心（Ｚ）の周りの多重対称性の配置を特徴とする請求項１〜４のいずれかに記載のサセプタ。
【請求項６】
前記供給口（９）が、円形の前記部分表面（３）の中心に関して、中心にあるガス分散凹部（１２）に開口し、前記ガス分散凹部（１２）は、径方向に延在するチャネル開口部（７）により特に渦巻状曲線上に延在するチャネル（５）と接続されていることを特徴とする請求項１〜５のいずれかに記載のサセプタ。
【請求項７】
凸部又は凹部（１０）として形成された前記影響要素が、連続的な壁により囲まれた閉じた基面を有し、前記壁は前記凸部又は凹部（１０）の基面から前記平面の縁まで延在していることを特徴とする請求項１〜６のいずれかに記載のサセプタ。
【請求項８】
特に円形である複数の凹部（１０）、特にその中に挿入された挿入片（１１）を具備する凹部（１０）が、方位角方向に互いに前後して配置されていることを特徴とする請求項１〜７のいずれかに記載のサセプタ。
【請求項９】
前記凹部（１０）が、平面視にて多角形であることを特徴とする請求項１〜８のいずれかに記載のサセプタ。
【請求項１０】
前記凹部（１０）の深さが、前記部分表面（３）の中心から前記部分表面（３）の縁に向かって減小していることを特徴とする請求項１〜９のいずれかに記載のサセプタ。
【請求項１１】
チャネル（５）が少なくとも２つ延在する前記中心（Ｚ）の周りの第１の扇形部（Ａ）、及び、チャネル（５）が１つのみ延在する前記中心（Ｚ）の周りの第２の扇形部（Ｂ）を有し、
全ての前記第１の扇形部（Ａ）の角度の和＞１８０°であり、かつ／又は、全ての前記第２の扇形部（Ｂ）の角度の和＞９０°であり、かつ／又は、全ての前記第１の扇形部（Ａ）の角度の和が全ての前記第２の扇形部（Ｂ）の角度の和より大きく、
特に少なくとも１つの、好ましくは各々の前記第１の扇形部（Ａ）において、少なくとも２つの前記チャネル（５）同士の間又は径方向外側の前記チャネル（５）の径方向外側にて少なくとも部分的に影響要素（１０、１１）が延在し、かつ／又は、
少なくとも１つの、好ましくは各々の前記第２の扇形部（Ｂ）において、特に前記チャネル（５）の径方向内側にて少なくとも部分的に、好ましくは前記第２の扇形部（Ｂ）全体に亘って影響要素（１０、１１）が延在し、かつ／又は、
少なくとも２つの前記チャネル（５）が延在する、前記中心（Ｚ）の周りの全ての前記第１の扇形部（Ａ）の角度の和が１８０°より大きく、かつ／又は、
少なくとも１つの、好ましくは各々の前記第１の扇形部（Ａ）において、少なくとも２つの前記チャネル（５）同士の間又は径方向外側の前記チャネル（５）の径方向外側にて少なくとも部分的に影響要素（１０、１１）が延在することを特徴とする請求項１〜１０のいずれかに記載のサセプタ。
【請求項１２】
前記部分表面（３）が、基板ホルダ（１３）が載置されるポケット（１６）の基面を形成する、ＣＶＤリアクタにおける請求項１〜１１のいずれかに記載のサセプタの使用。
【請求項１３】
前記部分表面（３）が、円形ディスク形状の基板ホルダ（１３）が載置されるポケット（１６）の基面を形成し、前記基板ホルダ（１３）を、前記供給口（９）を通るパージガスの供給によりガスクッション上に置いて前記中心（Ｚ）の周りで回動運動させることができる、請求項１〜１１のいずれかに記載の基板ホルダ（１３）を具備する基板ホルダ機構。
【請求項１４】
請求項１〜１３のいずれかの特徴的構成の１又は複数を特徴とするサセプタ又は使用又は基板ホルダ機構。
【国際調査報告】
2020515069.tif 000015
2020515069.tif 000016
2020515069.tif 000017
2020515069.tif 000018
2020515069.tif 000019
2020515069.tif 000020